【手続補正書】
【提出日】平成25年12月2日(2013.12.2)
【手続補正１】
【補正対象書類名】明細書
【補正対象項目名】発明の名称
【補正方法】変更
【補正の内容】
【発明の名称】蛍光素子、照明装置および表示装置
【手続補正２】
【補正対象書類名】明細書
【補正対象項目名】０００１
【補正方法】変更
【補正の内容】
【０００１】
本発明は、蛍光体を含む蛍光素子、ならびにそれを備えた照明装置および表示装置に関する。
【手続補正３】
【補正対象書類名】明細書
【補正対象項目名】００１１
【補正方法】変更
【補正の内容】
【００１１】
本発明はかかる問題点に鑑みてなされたもので、その目的は、付活剤の使用量を抑えつつ、光取出効率の低下を最低限に抑えるか、もしくは、付活剤の使用量を今までと同程度（つまり外部量子効率が最大となる量）とした場合と同程度の光取出効率を実現することの可能な蛍光素子ならびにそれを備えた照明装置および表示装置を提供することにある。
【手続補正４】
【補正対象書類名】明細書
【補正対象項目名】００２４
【補正方法】変更
【補正の内容】
【００２４】
本発明の第１および第２の蛍光素子、第１および第２の照明装置、ならびに第１および第２の表示装置によれば、蛍光体層の光入射側で発生した光が、蛍光体層の光射出側に位置する蛍光体によって進行を阻害される割合が少なくなるようにしたので、付活剤の使用量を抑えつつ、光取出効率の低下を最低限に抑えるか、または、付活剤の使用量を今までと同程度とした場合（つまり、蛍光体層全体における付活剤の濃度が本発明における蛍光体層の光入射側の付活剤の濃度と同程度となっている場合）と同程度の光取出効率を実現することができる。
【手続補正５】
【補正対象書類名】特許請求の範囲
【補正対象項目名】全文
【補正方法】変更
【補正の内容】
【特許請求の範囲】
【請求項１】
互いに対向する光入射面および光射出面を有する蛍光体層を備え、
前記蛍光体層は、母材の一部を付活剤で置換することにより形成された蛍光体を含んで構成されており、かつ所定の波長帯の光に対して、前記光入射面側の方が前記光射出面側の方よりも前記蛍光体の光吸収率が高く、かつ前記蛍光体の内部量子効率が低くなるように構成されている
蛍光素子。
【請求項２】
前記蛍光体層は、前記蛍光体の光吸収率および前記蛍光体の内部量子効率が互いに異なる複数の層を積層して構成されている
請求項１に記載の蛍光素子。
【請求項３】
前記蛍光体層は、前記光入射面において前記蛍光体の光吸収率が最も高くなるとともに前記光射出面において前記蛍光体の内部量子効率が最も高くなるように構成されている
請求項２に記載の蛍光素子。
【請求項４】
前記蛍光体層は、前記光射出面側の方が前記光入射面側の方よりも前記蛍光体内の付活剤の濃度が低くなるように構成されている
請求項１ないし請求項３のいずれか一項に記載の蛍光素子。
【請求項５】
前記蛍光体層は、前記蛍光体内の付活剤の濃度が互いに異なる複数の層を積層して構成されている
請求項４に記載の蛍光素子。
【請求項６】
前記蛍光体層は、前記蛍光体内の付活剤の濃度が前記光入射面において最も高くなるとともに前記光射出面において最も低くなるように構成されている
請求項５に記載の蛍光素子。
【請求項７】
互いに対向する光入射面および光射出面を有する蛍光体層を備え、
前記蛍光体層は、母材の一部を付活剤で置換することにより形成された蛍光体を含んで構成されており、かつ前記光射出面側の方が前記光入射面側の方よりも前記蛍光体内の付活剤の濃度が低くなるように構成されている
蛍光素子。
【請求項８】
前記蛍光体層は、前記蛍光体内の付活剤の濃度が互いに異なる複数の層を積層して構成されている
請求項７に記載の蛍光素子。
【請求項９】
前記蛍光体層は、前記蛍光体内の付活剤の濃度が前記光入射面において最も高くなるとともに前記光射出面において最も低くなるように構成されている
請求項８に記載の蛍光素子。
【請求項１０】
前記蛍光体層は、前記光入射面側の方が前記光射出面側の方よりも、前記蛍光体の外部量子効率が高くなるように構成されている
請求項１、請求項２、請求項３、請求項７、請求項８または請求項９に記載の蛍光素子。
【請求項１１】
前記蛍光体層は、前記蛍光体の外部量子効率が前記光入射面において最も高くなるとともに前記光射出面において最も低くなるように構成されている
請求項１０に記載の蛍光素子。
【請求項１２】
前記蛍光体層は、３８０ｎｍ〜４２０ｎｍの波長帯の光を吸収し、吸収した光の波長よりも大きな波長の光を発光するようになっており、
当該蛍光素子は、前記蛍光体層との関係で前記光入射面側に、３８０ｎｍ〜４２０ｎｍの波長帯の光を透過させ、前記蛍光体層で発光した光を反射するフィルタ層をさらに備えた
請求項１、請求項２、請求項３、請求項７、請求項８または請求項９に記載の蛍光素子。
【請求項１３】
前記蛍光体層は、３８０ｎｍ〜４２０ｎｍの波長帯の光を吸収し、吸収した光の波長よりも大きな波長の光を発光するようになっており、
当該蛍光素子は、前記蛍光体層との関係で前記光射出面側に、３８０ｎｍ〜４２０ｎｍの波長帯の光を反射または吸収し、前記蛍光体層で発光した光を透過させるフィルタ層をさらに備えた
請求項１、請求項２、請求項３、請求項７、請求項８または請求項９に記載の蛍光素子。
【請求項１４】
所定の波長帯の光を発する面発光源と、
前記面発光源の直上に、前記面発光源と所定の空隙を介して対向配置され、かつ前記面発光源からの光を波長変換する蛍光素子と
を備え、
前記蛍光素子は、
互いに対向する光入射面および光射出面を有する蛍光体層を有し、
前記蛍光体層は、母材の一部を付活剤で置換することにより形成された蛍光体を含んで構成されており、かつ所定の波長帯の光に対して、前記光入射面側の方が前記光射出面側の方よりも前記蛍光体の光吸収率が高く、かつ前記蛍光体の内部量子効率が低くなるように構成されている
照明装置。
【請求項１５】
前記蛍光体層は、前記光射出面側の方が前記光入射面側の方よりも前記蛍光体内の付活剤の濃度が低くなるように構成されている
請求項１４に記載の照明装置。
【請求項１６】
所定の波長帯の光を発する面発光源と、
前記面発光源の直上に、前記面発光源と所定の空隙を介して対向配置され、かつ前記面発光源からの光を波長変換する蛍光素子と
を備え、
前記蛍光素子は、
互いに対向する光入射面および光射出面を有する蛍光体層を有し、
前記蛍光体層は、母材の一部を付活剤で置換することにより形成された蛍光体を含んで構成されており、かつ前記光射出面側の方が前記光入射面側の方よりも前記蛍光体内の付活剤の濃度が低くなるように構成されている
照明装置。
【請求項１７】
映像信号に基づいて駆動される表示パネルと、
前記表示パネルを背後から照明するとともに、所定の波長帯の光を発するバックライトと
を備え、
前記表示パネルは、第１偏光板、第１基板、液晶層、第２基板、第２偏光板および蛍光素子を前記バックライト側から順に有し、
前記蛍光素子は、
互いに対向する光入射面および光射出面を有する蛍光体層を有し、
前記蛍光体層は、母材の一部を付活剤で置換することにより形成された蛍光体を含んで構成されており、かつ所定の波長帯の光に対して、前記光入射面側の方が前記光射出面側の方よりも前記蛍光体の光吸収率が高く、かつ前記蛍光体の内部量子効率が低くなるように構成されている
表示装置。
【請求項１８】
前記蛍光体層は、前記光射出面側の方が前記光入射面側の方よりも前記蛍光体内の付活剤の濃度が低くなるように構成されている
請求項１７に記載の表示装置。
【請求項１９】
映像信号に基づいて駆動される表示パネルと、
前記表示パネルを背後から照明するとともに、所定の波長帯の光を発するバックライトと
を備え、
前記表示パネルは、第１偏光板、第１基板、液晶層、第２基板、第２偏光板および蛍光素子を前記バックライト側から順に有し、
前記蛍光素子は、
互いに対向する光入射面および光射出面を有する蛍光体層を有し、
前記蛍光体層は、母材の一部を付活剤で置換することにより形成された蛍光体を含んで構成されており、かつ前記光射出面側の方が前記光入射面側の方よりも前記蛍光体内の付活剤の濃度が低くなるように構成されている
表示装置。